(57)【要約】【課題】前後パネル部を切り離した後にそれらを再び連結する締結手段を、使用時まで使用可能、かつ安全な状態に保つことができるパンツ型の使い捨て着用物品の提供。【解決手段】使い捨ておむつ１０が、連結された前パネル部１６および後パネル部１７と、それら前後パネル部１６，１７を切り離すことが可能であって、胴周両側部１８，１９に設けられた切断部２２と、切り離された前後パネル部１６，１７を再び連結させることが可能であって、切断部２２に近接するように後パネル部１７の内面１４の側に設けられた締結部材２３とを有し、切断部２２と締結部材２３とを覆う被覆部材２４が、後パネル部１７の内面１４の側に設けられている。【選択図】図３
2006304973.tif 000002
【特許請求の範囲】
【請求項１】
長さ方向，幅方向，内面，外面，互いに対向し胴周域を有する第１パネル部および第２パネル部を有し、それら第１パネル部と第２パネル部とが幅方向胴周両側部で連結されているパンツ型の使い捨て着用物品において、
前記第１パネル部と前記第２パネル部とを切り離すことが可能な切断部が、前記胴周両側部の少なくとも一方に設けられており、
切り離された前記第１パネル部を前記第２パネル部と再び連結させることが可能な締結部材が、前記切断部に近接するように前記第１パネル部の内面側に設けられており、
前記切断部と前記締結部材とを覆う被覆部材が、前記第１パネル部の内面側に設けられており、
前記第１パネル部と前記第２パネル部とが切り離されると、前記被覆部材が捲れて前記締結部材が露出するように構成されていることを特徴とする前記着用物品。
【請求項２】
前記被覆部材が、前記切断部および前記締結部材に重なる部分ではそれらに接合されておらず、前記幅方向の両側部分で前記第１パネル部の内面側に接合されている請求項１記載の着用物品。
【請求項３】
前記被覆部材に、長さ方向に裂け易い部分が設けられており、前記裂け易い部分が、前記締結部材の幅方向の両側部のうち、切断部が近接する側部と反対の側部に近接している請求項１または２記載の着用物品。
【請求項４】
前記裂け易い部分が、長さ方向に設けられたスリットである請求項３記載の着用物品。
【請求項５】
前記切断部が、前記第１パネル部と前記第２パネル部との境界にある請求項１〜４のいずれかに記載の着用物品。
【請求項６】
前記第１パネル部と前記第２パネル部とが、前記胴周両側部で連結片を介して間接的に連結されている請求項１〜５のいずれかに記載の着用物品。
【発明の詳細な説明】
【技術分野】
【０００１】
この発明は、パンツ型の使い捨て着用物品に関する。
【背景技術】
【０００２】
特開平５−３１７３５６（特許文献１）には、前後身頃の対向側部に接合されて外側へ延出する締結片を有し、締結片の接合部よりも内側で接合部に近接する部位に前後身頃どうしを切り離すための切断線を備えているパンツ型のおむつが開示されている。締結片の先端部の内面には係着部が設けられており、係着部は、粘着剤を塗布することによって形成されるほか、フック群を有する公知のテープ片を貼着することによって形成される。この使い捨ておむつは、上述のような切断線と締結片とを備えていることにより、切断線で前後身頃を切り離した後に、開放型のおむつとして着用することができる。
【特許文献１】特開平５−３１７３５６号公報
【発明の開示】
【発明が解決しようとする課題】
【０００３】
上記締結片は、切断線で前後身頃が切り離されるまで使用されないが、締結片がおむつの外面側に位置しているため、使用前に、いたずら等によって係着部が汚されて締結片が使用できなくなったり、締結片の係着部が着用者の肌に触れて着用者が不快感を覚えたりする虞があった。
【０００４】
この発明は、上述のような課題に鑑みてなされたものであり、接合されている前後身頃を切り離した後にそれらを再び連結する締結手段を備え、その締結手段を使用時まで汚すことがなく、かつ着用者の肌に触れることがない状態に保つことができる使い捨て着用物品を提供することを目的とする。
【課題を解決するための手段】
【０００５】
上記課題を解決するためのこの発明に係る使い捨て着用物品は、長さ方向，幅方向，内面，外面，互いに対向し胴周域を有する第１パネル部および第２パネル部を有し、それら第１パネル部と第２パネル部とが幅方向胴周両側部で連結されているパンツ型の使い捨て着用物品であって、第１パネル部と第２パネル部とを切り離すことが可能な切断部が、両側部の少なくとも一方に設けられており、切り離された第１パネル部を第２パネル部と再び連結させることが可能な締結部材が、切断部に近接するように第１パネル部の内面側に設けられており、切断部と締結部材とを覆う被覆部材が、第１パネル部の内面側に設けられており、第１パネル部と第２パネル部とが切り離されると、被覆部材が捲れて締結部材が露出するように構成されていることを特徴とする。
【０００６】
このように、締結部材が物品の内面側に設けられ、なおかつ被覆部材によって覆われていることにより、締結部材がいたずら等によって汚されて使用不可能な状態になったり、締結片の係着部が着用者の肌に触れて着用者が不快感を覚えたりすることを防止できる。被覆部材が、切断部と締結部材とを覆っていることにより、第１パネル部と第２パネル部とを切り離そうとする力が切断部に加えられたときに、その力が被覆部材にも伝わり、その結果、被覆部材が捲れて、隠れていた締結部材が露出する。第１パネル部と第２パネル部とが切り離された後、露出した締結部材を用いて第１パネル部と第２パネル部とを再び連結すれば、この着用物品を開放型として使用することができる。
【０００７】
第１パネル部と第２パネル部とは、どちらが前側でどちらが後ろ側でもよいが、締結部材が設けられている第１パネル部が後ろ側であることが好ましい。そうすると、この着用物品を開放型として使用するときに、着用者を仰向けに寝かせたままの状態で、前側である第２パネル部の外面に後ろ側である第１パネル部を重ね合わせてそれらのパネル部を再び連結することが容易になる。
【０００８】
第１パネル部と第２パネル部とは、互いに対向する幅方向胴周両側部で直接連結されていてもよく、間接的に連結されていてもよい。ここで、第１パネル部と第２パネル部とが直接的に連結されているとは、第１パネル部と第２パネル部とが、互いに重なり合う部分において、接着あるいは溶着している状態である。一方、第１パネル部と第２パネル部とが間接的に連結されているとは、第１パネル部と第２パネル部との間に、物品本体を構成する部材とは別の部材が介在し、第１パネル部および第２パネル部の各々が、その別の部材と接着あるいは溶着している状態である。このように第１パネル部と第２パネル部とを連結する部材を、以下、連結片という。連結片は、物品の内面および外面のどちらか一方に接合されてもよく、内面および外面の両面に接合されてもよい。
【０００９】
切断部は、第１パネル部と第２パネル部とが連結されている胴周両側部の少なくとも一方に設けられていればよいが、胴周両側部の両方に設けられていると、物品の着脱が容易になってより好ましい。
胴周側部とは、第１パネル部と第２パネル部との境界およびその周辺一帯である。切断部は、胴周側部であれば、境界以外の部分にあってもよいが、切断部が第１パネル部と第２パネル部との境界にあると、そこで第１パネル部と第２パネル部とを切り離し易くなってより好ましい。例えば、第１パネル部と第２パネル部とが直接連結されていて、切断部がそれらパネル部の境界である場合には、第１パネル部と第２パネル部との接合強度を調節することによって、第１パネル部と第２パネル部とを切り離し易くすることができる。また、第１パネル部と第２パネル部とが連結片を介して間接的に連結されていて、切断部が、それらパネル部の境界である連結片である場合には、連結片を物品のその他の部分と比べて破れ易い、あるいは引き裂かれ易い部分とすることによって、第１パネル部と第２パネル部とを切り離し易くすることができる。切断部は、そこで第１パネル部と第２パネル部とを切り離すことができる限りにおいては、その形成材料や形状について特に限定されるものではないが、切断部が、物品のその他の部分と比べて破れ易い、あるいは引き裂かれ易い部分であることが好ましい。例えば、切断部は、物品の長さ方向に直線的、かつ断続的に設けられたスリット、すなわち所謂ミシン線でもよく、物品の長さ方向の端部において引き裂き開始点となるように設けられた切り込みでもよい。また、物品が上述のような連結片を含む場合には、連結片を、物品のその他の部分よりも破れ易い、あるいは引き裂かれ易い性質を有するシート材料で形成し、それを切断部としてもよい。連結片を切断部として、そこで第１パネル部と第２パネル部とを切り離す場合には、物品が、吸収体を構成するパルプや高吸収性ポリマー粒子などの内容物を内部に含んでいても、第１パネル部と第２パネル部とを切り離したときにそれらの内容物が外部へ飛び出す心配がない。
【００１０】
締結部材を覆う被覆部材が、第１パネル部の内面側に設けられていて、物品の内面と被覆部材との間に締結部材が介在しているとき、被覆部材は、切断部および締結部材に重なる部分で、それらに粘着剤あるいはメカニカルファスナ等の接合手段によって剥離可能に接合されていてもよい。しかしながら、第１パネル部と第２パネル部との切り離し時に被覆部材が無理なく捲れるためには、被覆部材が、切断部および締結部材と重なる部分でそれらに接合されていないことが好ましい。その場合、被覆部材は、第１パネル部の内面側に確実に固定されるように、その幅方向の両側部で第１パネル部の内面側に接合されていることが好ましい。
【００１１】
さらに、第１パネル部と第２パネル部との切り離し時に、被覆部材がより捲れ易くなるように、被覆部材を長さ方向に裂け易いシート材料で形成したり、被覆部材に長さ方向に裂け易い部分を設けたりすると好ましい。被覆部材に、長さ方向に裂け易い部分を設ける場合には、その裂け易い部分が、締結部材の幅方向の両側部のうち、切断部が近接する側部とは反対の側部に近接していることがより好ましい。そのような位置に裂け易い部分が設けられていると、裂け易い部分で被覆部材が破れると同時に、締結部材の締結面を広範囲にわたって露出させることができる。それによって、第１パネル部と第２パネル部とを切り離す作業とは別に被覆部材を捲って締結部材を露出させる作業を行う必要がないうえ、締結部材の締結面を有効利用することができる。裂け易い部分は、被覆部材において長さ方向に設けられた切り込み線、即ちスリットとすることができる。スリットは、１本でもよいが、複数本であることが好ましい。スリットが複数本ある場合には、被覆部材の上端から下端まで延びる所謂ミシン線として設けられていると、より好ましい。
【００１２】
この発明において、切り離す、引き裂く、あるいは破るといったときには、人が素手で行い得る動作を意味するものとする。
【発明の効果】
【００１３】
この発明に係る使い捨て着用物品によれば、締結部材がシャーシの内面側に設けられていて、締結部材の全面が被覆部材で覆われているから、切断部で前後パネル部を切り離すまで、締結部材を使用時まで汚すことがなく、かつ着用者の肌に触れることがない状態に保つことができる。
【００１４】
この発明のその他の構成、材料などについては、実施の形態における記述がここに援用される。ただし、この発明は、実施の形態に限定されるものではない。
【発明を実施するための最良の形態】
【００１５】
この発明に係る使い捨て着用物品として使い捨ておむつを例にとり、この発明の実施形態について、図面を参照しながら以下に説明する。
【００１６】
図１は、パンツ型の使い捨ておむつ１０の斜視図である。図２は、図1の使い捨ておむつ１０を胴開口の真上からみた端面図である。図３は、使い捨ておむつ１０の胴周側部１８を拡大して示す図である。
使い捨ておむつ１０は、透液性表面シート１１と不透液性裏面シート１２と、これら両シート１１，１２間に介在する体液吸収性の芯材１３とで構成されている。この使い捨ておむつ１０は、長さ方向Ｌ，幅方向Ｗ，内面１４，外面１５，互いに対向し胴周域を有する前パネル部（第２パネル部）１６および後パネル部（第１パネル部）を有する。図示されているように、前パネル部１６と後パネル部１７とは、それらの互いに対向する胴周両側部１８，１９で一対の連結片２０を介して間接的に連結されており、それによって、胴開口および一対の脚開口が形成されている。連結片２０は、前パネル部１６と後パネル部１７とにまたがるように、接着剤３０によって内面１４に接合されている（図２，３を参照）。
【００１７】
使い捨ておむつ１０の胴周両側部１８，１９には、前パネル部１６と後パネル部１７とを切り離すことが可能な一対の切断部２２が設けられている。より詳しくは、切断部２２は、外側へ延出する両耳部１８ａ，１８ａの間および両耳部１９ａ，１９ａの間における連結片２０上の、前パネル部１６と後パネル部１７との境界２１にある（図２を参照）。切断部２２は、胴周両側部１８，１９のどちらか一方に設けられていてもよいが、図示されているように、胴周両側部１８，１９の両方に切断部２２が設けられていると、切断部２２で連結片２０を手で引き裂いて前パネル部１６と後パネル部１７とを切り離すことによって、使い捨ておむつ１０を完全に展開することができ、使い捨ておむつ１０の着脱の操作が容易になる。
【００１８】
胴周弾性部材４１および脚周弾性部材４３が、それぞれ、公知の手段によって胴開口および脚開口に沿って取り付けられている。さらに、前後パネル部１６，１７の胴周弾性部材４１より下側には、胴周および脚周弾性部材４１，４３の伸長応力よりも低い伸長応力を有し、幅方向に延びる胴周補助弾性部材４２が取り付けられている。胴周弾性部材４１，胴周補助弾性部材４２および脚周弾性部材４３は、表面シート１１および裏面シート１２の間に挟まれており、表裏面シート１１，１２の少なくともどちらか一方に、伸長状態下に接着剤（図示せず）によって接合されている。
胴周弾性部材４１および胴周補助弾性部材４２は、前パネル部１６に配置されている前半分と後パネル部１７に配置されている後半分とに分かれており、それら前半分と後半分とは胴周両側部１８，１９で連続していない。すなわち、胴周弾性部材４１は、切断部２２である前パネル部１６と後パネル部１７との境界２１には存在していない。
脚周弾性部材４３は、脚開口周縁の上半分に配置されている。脚周弾性部材４３も、胴周弾性部材４１と同様に、前パネル部１６に配置されている前半分と後パネル部１７に配置されている後半分とに分けられ、それら前半分と後半分とは胴周両側部１８，１９で連続していない。すなわち、脚周弾性部材４３は、切断部２２である前パネル部１６と後パネル部１７との境界２１には存在していない。
このように、切断部２２に、いずれの弾性部材４１，４２，４３も存在していないことによって、切断部２２において前後パネル部１６，１７を切り離すことが容易であり、また、前後パネル部１６，１７の切り離し時に弾性部材が切れて手に当たるという煩わしさを感じることがなく、好ましい。
【００１９】
切り離された前パネル部１６と後パネル部１７とを再び連結することが可能であって、連結片２０の剛性よりも高い剛性を有する一対の締結部材２３，２３が、胴周両側部１８，１９における切断部２２に近接するように後パネル部１７の内面１４側に設けられている。締結部材２３は、図２および３に示されているように、後パネル部１７の側縁に沿って位置するように設けられていることが好ましい。締結部材２３がこのように設けられていると、締結部材２３の側縁に沿って連結片２０を引き裂くことができ、前パネル部１６と後パネル部１７との切り離しが容易になる。
締結部材２３は、接着剤３１によって連結片２０に接合されている。この接着剤３１は、図示の使い捨ておむつ１０において、締結部材２３の、連結片２０との接合面全体に塗布されているが、使い捨ておむつ１０の使用上十分な接合強度が得られる限りにおいては、締結部材２３の、連結片２０との接合面に部分的に塗布されていてもよい。ただし、接着剤３１が、締結部材２３の、連結片２０との接合面に部分的に塗布される場合には、締結部材２３の幅方向Ｗの両側部２３ａ，２３ｂのうち、少なくとも側部２３ｂに接着剤３１が塗布されていることが好ましい。前後パネル部１６，１７を切り離した後、締結部材２３を介して前後パネル部１６，１７を再び連結して、使い捨ておむつ１０を開放型として使用するときに、締結部材２３が前パネル部１６寄りに位置する側部２３ａで接着剤３１によって後パネル部１７の内面１４側に接合されている場合には、締結部材２３にせん断力が作用すると前後パネル部１６，１７が離れ易い。これに対して、締結部材２３が側部２３ｂで接着剤３１によって後パネル部１７の内面１４側に接合されている場合には、前述の場合と接着剤３１の塗布面積が同じであっても、前述の場合と比較して、前後パネル部１６，１７が離れ難い。
図示されている締結部材２３は、メカニカルファスナのフック部材であるが、締結部材２３として、表面に粘着剤が塗布された粘着テープを用いてもよい。その場合には、被覆部材２４として離型性を有するシート片を用いるか、あるいはシート片の、締結部材２３との接触面に離型剤を塗布する等の離型処理を施して、シート片を締結部材２３の表面から捲れ易くすることが好ましい。
【００２０】
締結部材２３は、被覆部材２４によって覆われている。この被覆部材２４は、切断部２２と締結部材２３とを覆って、後パネル部１７の内面１４の側に設けられている（図３を参照）。被覆部材２４は、幅方向Ｗの両側部２４ａ，２４ｂで、接着剤３２によって連結片２０に接合されているが、切断部２２および締結部材２３に重なる部分２４ｃでは、それらに接合されていない。このように、被覆部材２４が、切断部２２と締結部材２３とに対して接合されていない状態にあると、切断部２２に作用する引き裂き力が被覆部材２４の他の部分に伝わり易いとともに、締結部材２３の表面から被覆部材２４を剥離させるための力を必要としないから、前パネル部１６と後パネル部１７とを極めて容易に手で切り離すことができる。また、連結片２０と締結部材２３と被覆部材２４とが、図示のように重ね合わされて接合される場合には、連結片２０と締結部材２３と被覆部材２４とをひとつのユニットとして予め準備しておくことにより、それらの部材をこの使い捨ておむつ１０に取り付けることが容易になる。
【００２１】
図４は、使い捨ておむつ１０の内面１４の側からみた胴周側部１８の拡大図である。ただし、便宜上、被覆部材２４が部分的に破断されて示されている。図５は、使い捨ておむつ１０の外面１５の側からみた胴周側部１８の拡大図である。図６は、前パネル部１６と後パネル部１７とが切断部２２で切り離された後の胴周側部１８を示す図４相当図である。
図４に示されているように、胴周側部１８で、切断部２２および締結部材２３を覆う被覆部材２４には、長さ方向Ｌに裂け易い部分２５が設けられている。裂け易い部分２５は、例えば、長さ方向Ｌに設けられたスリットとすることができ、図４に示されているように、被覆部材２４の上端から下端まで延びるミシン線であるとより好ましい。図４に示されている裂け易い部分２５は、締結部材２３の幅方向Ｗの両側部２３ａ，２３ｂのうち、切断部２２が近接する側部２３ａと反対側の側部２３ｂに近接して、締結部材２３上に位置しているが、締結部材２３の縁に沿って、あるいは締結部材２３の縁より外側にあって側部２３ｂに近接していてもよい（図示せず）。裂け易い部分２５が締結部材２３の縁より外側にある場合には、被覆部材２４が裂け易い部分２５で破れて捲れたときに、締結部材２４が幅方向Ｗの全長にわたって露出する。それによって、締結部材２４の締結面を有効に利用することができる。
【００２２】
前パネル部１６と後パネル部１７とを切り離すときには、胴周側部１８および／または胴周側部１９で、切断部２２の幅方向Ｗ両側を両手で摘み、連結片２０を長さ方向Ｌに引き裂くように力を加える。この力は、内面側で連結片２０に重なっている被覆部材２４にも伝わる。被覆部材２４は、はじめに切断部２２で連結片２０とともに引き裂かれるが、やがては引き裂き容易な部位２５で破れる（図６を参照）。被覆部材２４が引き裂き容易な部位２５で破れるときには、その他の部位で破れるときよりも弱い力で容易に破れるから、切断部２２が被覆部材２４によって覆われていても、前パネル部１６と後パネル部１７とを容易に切り離すことができる。
【００２３】
上述のような構成を備える使い捨ておむつ１０は、前パネル部１６と後パネル部１７とが切り離されると同時に被覆部材２４が捲れて締結部材２３が露出する。
【００２４】
前パネル部１６および後パネル部１７は、連結片２０を介さずに、直接連結されてもよい。連結片２０が省略される場合、前後パネル部１６，１７は、手で切り離すことができる程度の接合強度を有するように公知の手段によって直接接合される。このとき、締結片２０および被覆部材２４は、後パネル部１７（または前パネル部１６）に直接接合される。前パネル部１６および後パネル部１７が直接連結されていても、使い捨ておむつ１０が上述のような構成の締結片２０および被覆部材２４を備えていることによって、前パネル部１６と後パネル部１７とが切り離されると同時に被覆部材２４が捲れて締結部材２３が露出する。
【００２５】
表面シート１１には、熱可塑性合成樹脂からなる繊維で形成された坪量１０〜３０ｇ／ｍ２の不織布や熱可塑性合成樹脂からなる厚さ１０〜３０ミクロンの一軸延伸または二軸延伸された開孔フィルムを使用することができる。
裏面シート１２には、熱可塑性合成樹脂からなる厚さ２０〜５０ミクロンの二軸延伸フィルムやそのフィルムと熱可塑性合成樹脂からなる繊維で形成された坪量２０〜５０ｇ／ｍ２の不織布とを間欠的に接合してなる複合シート等を使用することができる。ただし、締結部材２３として、メカニカルファスナのフック部材を用いる場合には、裏面シート１２に、そのフックが係合することが可能なパイル状毛羽を表面に有するものを使用する。
芯材１３には、粉砕パルプと高吸水性ポリマー粒子との混合物を液透過性または液透過性と液拡散性とに優れたティッシュペーパや不織布等のシート材料で被覆したものや、粉砕パルプをそのようなシート材料で被覆したもの等を使用することができる。
【００２６】
連結片２０には、ポリエチレン，ポリプロピレン，ポリエステル等の熱可塑性合成樹脂からなる繊維で形成された不織布やそれらの合成樹脂からなるフィルム、あるいはそのような不織布とフィルムとの積層物等を使用することができる。上記不織布の例としては、繊度が１〜５ｄｔｘのポリエチレン繊維からなり、坪量が２０〜５０ｇ／ｍ２のスパンボンド不織布や、繊度が１〜５ｄｔｘのポリエチレン繊維からなり、坪量が６．５ｇ／ｍ２のスパンボンド不織布と繊度が０．２〜１ｄｔｘのポリエチレン繊維からなり、坪量が２ｇ／ｍ２のメルトボンド不織布と繊度が１〜５ｄｔｘのポリエチレン繊維からなり、坪量が６．５ｇ／ｍ２のスパンボンド不織布との積層物であるＳＭＳ不織布等がある。上記フィルムの例としては、厚さ２０〜５０ミクロンを有し、一軸あるいは二軸延伸されたポリエチレンフィルムやポリプロピレンフィルムがある。不織布を形成している繊維がある特定の方向に向かって強く配向している不織布や、フィルムを形成している高分子鎖がある特定の方向に向かって強く配向しているフィルムを、その特定の方向が使い捨ておむつ１０の長さ方向となるように使用することによって、連結片２０の引き裂きを容易にしたり、引き裂きを長さ方向へ進み易くしたりすることができる。また、所謂ミシン目を設けることによっても、連結片２０の引き裂きを容易にすることができる。
締結部材２３として、メカニカルファスナのフック部材を用いる場合には、公知のものを使用することができる。締結部材２３として、表面に粘着剤が塗布されたテープ片を用いる場合には、公知のプラスチックフィルムからなるテープ片に、公知の粘着剤を使用することができる。
被覆部材２４には、連結片２０と同様のポリエチレン，ポリプロピレン，ポリエステル等の熱可塑性合成樹脂からなる繊維で形成された不織布やそれらの合成樹脂からなるフィルム、あるいはそのような不織布とフィルムとの積層物等を使用することができる。
【００２７】
連結片２０，締結部材２３および被覆部材２４の接合は、使い捨ておむつ１０の使用上十分な接合強度が得られる限りにおいて、ホットメルト接着剤等の接着剤を用いた接着によって行ってもよく、熱あるいは超音波による溶着によって行ってもよい。また、それらの接合は、連続的でも間欠的でもよい。
弾性部材４１，４２，４３には、天然ゴム、合成ゴム、ウレタンフォームなど公知の材料からなる糸ゴムや平ゴム等を使用することができる。
【００２８】
本発明は、パンツ型の使い捨ておむつ以外に、トレーニングパンツや、失禁患者用パンツ，生理用ショーツ等のパンツ型の使い捨て着用物品として実施することができる。
【図面の簡単な説明】
【００２９】
【図１】この発明に係るパンツ型の使い捨ておむつの斜視図である。
【図２】図1の使い捨ておむつを胴開口の真上からみた端面図である。
【図３】図1の使い捨ておむつの胴周側部を拡大して示す図である。
【図４】使い捨ておむつの内面の側からみた胴周側部の部分破断拡大図である。
【図５】使い捨ておむつの外面の側からみた胴周側部の拡大図である。
【図６】前後パネル部が切り離された後の胴周側部を示す図４相当図である。
【符号の説明】
【００３０】
１０      使い捨ておむつ（使い捨て着用物品）
１４      内面
１５      外面
１６      前パネル部（第２パネル部）
１７      後パネル部（第１パネル部）
１８      胴周側部
１９      胴周側部
２０      連結片
２２      切断部
２３      締結部材
２４      被覆部材
Ｌ        長さ方向
Ｗ        幅方向
【図１】
2006304973.tif 000003
【図２】
2006304973.tif 000004
【図３】
2006304973.tif 000005
【図４】
2006304973.tif 000006
【図５】
2006304973.tif 000007
【図６】
2006304973.tif 000008